(57)【要約】【課題】吸着塔の脱着工程を良好に行うことができる圧力変動吸着式ガス製造装置を提供する。【解決手段】複数の吸着塔１に接続されたオフガス排出路４における雑ガスが精製対象ガスに較べて速く透過する分離膜９Ａを備える膜分離部９の上流側に、オフガスを貯留するオフガスタンクＴと、オフガスを昇圧して膜分離部９に供給する昇圧部１０とが設けられ、分離膜９Ａを透過しないリサイクルガスを原料ガス供給路３に返送するリサイクルガス返送路１１が設けられ、運転制御部が、オフガスの排出流量を、脱着工程を行うごとに吸着塔１から排出されるオフガス量と吸着塔１が脱着工程を開始してから別の吸着塔１が脱着工程を開始するまでの間にオフガスタンクＴから排出されるオフガス量とを等しくする流量にするように、オフガス調整部ＭＲを調整するように構成されている。【選択図】図１
2017177067.tif 000002
【特許請求の範囲】
【請求項１】
精製対象ガス及びそれ以外の雑ガスを含む原料ガスから前記雑ガスを吸着する吸着材を充填させた形態で、且つ、原料ガス供給路を一端側に接続し、精製対象ガス排出路を他端側に接続し、かつ、オフガス排出路を接続させた形態で設けた複数の吸着塔の夫々について、
前記原料ガス供給路を通して供給される前記原料ガスから前記雑ガスを吸着して前記精製対象ガス排出路を通して前記精製対象ガスを排出する吸着工程、及び、前記オフガス排出路を通して前記雑ガスを排出する脱着工程を含む運転サイクルを、位相を異ならせて順次行う運転制御部が設けられ、
前記オフガス排出路に、前記雑ガスを前記精製対象ガスに較べて速く透過する分離膜を備える膜分離部が設けられ、
前記分離膜を透過しないリサイクルガスを前記原料ガス供給路に返送するリサイクルガス返送路が設けられた圧力変動吸着式ガス製造装置であって、
前記オフガス排出路における前記膜分離部よりも上流側に、前記脱着工程において前記オフガス排出路を通して排出されるオフガスを貯留するオフガスタンクと、当該オフガスタンクに貯留された前記オフガスを前記膜分離部での膜分離のために昇圧して前記膜分離部に供給する昇圧部とが設けられ、
前記オフガスタンクから排出されるオフガスの排出流量を調整するオフガス調整部が設けられ、
前記運転制御部が、前記オフガスの排出流量を、前記脱着工程を行うごとに前記吸着塔から排出されるオフガス量と前記吸着塔が脱着工程を開始してから別の吸着塔が前記脱着工程を開始するまでの間に前記オフガスタンクから排出されるオフガス量とを等しくする流量にするように、前記オフガス調整部を調整する圧力変動吸着式ガス製造装置。
【請求項２】
前記オフガスタンクの内部圧を検出する圧力センサが設けられ、
前記運転制御部が、前記圧力センサの検出情報に基づいて、前記オフガスの排出流量を、繰り返し増減する前記オフガスタンクの内部圧の極小値を設定圧力に維持する流量にするように、前記オフガス調整部を調整する請求項１記載の圧力変動吸着式ガス製造装置。
【請求項３】
前記運転制御部が、前記原料ガスの精製対象ガスの濃度及び前記吸着塔から排出される前記精製対象ガスの濃度の少なくとも一方に基づいて、前記吸着工程を行う吸着時間を変更し、かつ、前記吸着時間を変更した場合には、前記オフガスタンクの排出流量を、前記吸着時間を変更する前に前記吸着塔から排出されたオフガス量と前記吸着時間を変更した後において前記吸着塔が脱着工程を開始してから別の吸着塔が前記脱着工程を開始するまでの間に前記オフガスタンクから排出されるオフガス量とを等しくする流量に補正すべく、前記オフガス調整部を調整する請求項２記載の圧力変動吸着式ガス製造装置。
【請求項４】
前記原料ガス供給路を通して前記吸着塔に供給する原料ガス供給量を調整する原料ガス調整部が設けられ、
前記運転制御部が、前記オフガスタンクの排出流量を増加側に補正した場合には前記原料ガス供給量を減少側に補正し、前記排出流量を減少側に補正した場合には前記原料ガス供給量を増加側に補正すべく、前記原料ガス調整部を調整する請求項３記載の圧力変動吸着式ガス製造装置。
【請求項５】
前記原料ガスが、前記精製対象ガスとしてのメタンを４０％以上含有するメタン含有ガスであり、前記精製対象ガス排出路を通して排出される前記精製対象ガスが、メタンを８０％以上含有する製品ガスである請求項１〜４のいずれか１項に記載の圧力変動吸着式ガス製造装置。
【発明の詳細な説明】
【技術分野】
【０００１】
本発明は、精製対象ガス及びそれ以外の雑ガスを含む原料ガスから前記雑ガスを吸着する吸着材を充填させた形態で、且つ、原料ガス供給路を一端側に接続し、精製対象ガス排出路を他端側に接続し、かつ、オフガス排出路を接続させた形態で設けた複数の吸着塔の夫々について、
前記原料ガス供給路を通して供給される前記原料ガスから前記雑ガスを吸着して前記精製対象ガス排出路を通して前記精製対象ガスを排出する吸着工程、及び、前記オフガス排出路を通して前記雑ガスを排出する脱着工程を含む運転サイクルを、位相を異ならせて順次行う運転制御部が設けられ、
前記オフガス排出路に、前記雑ガスを前記精製対象ガスに較べて速く透過する分離膜を備える膜分離部が設けられ、
前記分離膜を透過しないリサイクルガスを前記原料ガス供給路に返送するリサイクルガス返送路が設けられた圧力変動吸着式ガス製造装置に関する。
【背景技術】
【０００２】
かかる圧力変動吸着式ガス製造装置は、吸着塔から排出されるオフガスには、精製対象ガスが含まれているため、オフガスから雑ガスを膜分離部にて分離した後のオフガスを、リサイクルガスとして原料ガス供給路に戻すようにすることにより、吸着塔の負荷を軽減しながら精製対象ガスの製造効率を向上させるようにしたものである。
【０００３】
かかる圧力変動吸着式ガス製造装置の従来例として、オフガス排出路を通して吸着塔から排出されるオフガスを昇圧部（昇圧機）に導き、昇圧部で昇圧されたオフガスを膜分離部に導くようにしたものがある（例えば、特許文献１参照。）。
特許文献１においては、原料ガスとして、精製対象ガスとしての水素を含み、雑ガスとして、二酸化酸素やメタンを含む水素含有ガスが記載されている。
【０００４】
ちなみに、特許文献１においては、膜分離部を経由した後の水素含有ガスを二酸化炭素分離膜に供給して、二酸化炭素が分離された水素含有ガスを、リサイクルガスとして原料ガス供給路に戻すように構成されている。
【０００５】
尚、特許文献１においては詳細な説明は記載されていないが、オフガスが存在しない空運転状態での運転により昇圧部に悪影響を与えることの回避や脱着工程においてオフガス排出路の内部圧を低くするためには、脱着工程を行うごとに吸着塔から排出されるオフガス量と、吸着塔が脱着工程を開始してから別の吸着塔が脱着工程を開始するまでに、昇圧部が送り出す量とが等しくなるように、昇圧部の送出量を定めるものであると考えることができる。
【先行技術文献】
【特許文献】
【０００６】
【特許文献１】特許第５０３９４０７号公報
【発明の概要】
【発明が解決しようとする課題】
【０００７】
従来の圧力変動吸着式ガス製造装置においては、オフガス排出路を通して吸着塔から排出されるオフガスを、オフガス排出路に充満させながら、昇圧部にて昇圧して膜分離に導くものであるから、脱着工程において吸着塔の内部圧を十分に低下させ難いことにより、脱着工程を良好に行い難い虞がある。
【０００８】
説明を加えると、吸着塔から排出されるオフガスを昇圧部にて順次膜分離にて送り込むことになるものの、オフガス排出路にはオフガスが高圧で充満する状態が継続する傾向になるため、オフガス排出路の内部圧を十分に低下させ難いものであり、その結果、脱着工程において吸着塔の内部圧を十分に低下させ難いことにより、脱着工程を良好に行い難い虞があった。
【０００９】
本発明は、上記実状に鑑みて為されたものであって、その目的は、吸着塔の脱着工程を良好に行うことができる圧力変動吸着式ガス製造装置を提供する点にある。
【課題を解決するための手段】
【００１０】
本発明の圧力変動吸着式ガス製造装置は、精製対象ガス及びそれ以外の雑ガスを含む原料ガスから前記雑ガスを吸着する吸着材を充填させた形態で、且つ、原料ガス供給路を一端側に接続し、精製対象ガス排出路を他端側に接続し、かつ、オフガス排出路を接続させた形態で設けた複数の吸着塔の夫々について、
前記原料ガス供給路を通して供給される前記原料ガスから前記雑ガスを吸着して前記精製対象ガス排出路を通して前記精製対象ガスを排出する吸着工程、及び、前記オフガス排出路を通して前記雑ガスを排出する脱着工程を含む運転サイクルを、位相を異ならせて順次行う運転制御部が設けられ、
前記オフガス排出路に、前記雑ガスを前記精製対象ガスに較べて速く透過する分離膜を備える膜分離部が設けられ、
前記分離膜を透過しないリサイクルガスを前記原料ガス供給路に返送するリサイクルガス返送路が設けられたものであって、その特徴構成は、
前記オフガス排出路における前記膜分離部よりも上流側に、前記脱着工程において前記オフガス排出路を通して排出されるオフガスを貯留するオフガスタンクと、当該オフガスタンクに貯留された前記オフガスを前記膜分離部での膜分離のために昇圧して前記膜分離部に供給する昇圧部とが設けられ、
前記オフガスタンクから排出されるオフガスの排出流量を調整するオフガス調整部が設けられ、
前記運転制御部が、前記オフガスの排出流量を、前記脱着工程を行うごとに前記吸着塔から排出されるオフガス量と前記吸着塔が脱着工程を開始してから別の吸着塔が前記脱着工程を開始するまでの間に前記オフガスタンクから排出されるオフガス量とを等しくする流量にするように、前記オフガス調整部を調整する点にある。
【００１１】
すなわち、脱着工程において吸着塔から排出されたオフガスがオフガスタンクに一旦貯留され、貯留されたオフガスが昇圧部にて昇圧されながら膜分離部に供給され、膜分離部にて雑ガスが分離されたオフガスが、リサイクルガスとして、リサイクルガス返送路を通して原料ガス供給路に戻されることになる。
【００１２】
また、運転制御部がオフガス調整部を調整することにより、オフガスタンクから排出されるオフガスの排出流量が、脱着工程を行うごとに吸着塔から排出されるオフガス量と吸着塔が脱着工程を開始してから別の吸着塔が脱着工程を開始するまでの間にオフガスタンクから排出されるオフガス量とを等しくする流量に維持されるものとなり、オフガスタンクの内部圧が過大になることや過少になることが抑制されることになる。
【００１３】
したがって、脱着工程において吸着塔から排出されたオフガスをオフガスタンクに一旦貯留するものであるから、オフガスタンクの内部圧を、脱着工程を行うのに適する低圧力にすることにより、脱着工程を良好に行うことができる。
つまり、オフガスをオフガスタンクに一旦貯留して、貯留したオフガスを昇圧部にて昇圧して膜分離部に供給するものであるから、オフガスをオフガスタンクの内部に十分な低圧で貯留させることができるため、脱着工程を良好に行うことができる。
【００１４】
しかも、オフガスの排出流量を調整することにより、オフガスタンクの内部圧が過大になることや過少になることが抑制できるから、オフガスタンクの内部圧が過大になって、脱着工程を適正通り行えなくなることや、オフガスタンクの内部圧が過少になって、昇圧部に悪影響を与えることを回避しながら、脱着工程を良好に行うことができる。
【００１５】
要するに、本発明の圧力変動吸着式ガス製造装置の特徴構成によれば、吸着塔の脱着工程を良好に行うことができる。
【００１６】
本発明の圧力変動吸着式ガス製造装置の更なる特徴構成は、前記オフガスタンクの内部圧を検出する圧力センサが設けられ、
前記運転制御部が、前記圧力センサの検出情報に基づいて、前記オフガスの排出流量を、繰り返し増減する前記オフガスタンクの内部圧の極小値を設定圧力に維持する流量にするように、前記オフガス調整部を調整する点にある。
【００１７】
すなわち、オフガスタンクの内部圧を検出する圧力センサの検出情報に基づいて、運転制御部が、オフガスの排出流量を、繰り返し増減する前記オフガスタンクの内部圧の極小値を設定圧力に維持する流量に調整することにより、結果的に、オフガスの排出流量を、脱着工程を行うごとに吸着塔から排出されるオフガス量と吸着塔が脱着工程を開始してから別の吸着塔が脱着工程を開始するまでの間にオフガスタンクから排出されるオフガス量とを等しくする流量に調整することになる。
【００１８】
このように、オフガスタンクの内部圧を検出する圧力センサの検出情報に基づいて、オフガスの排出流量を調整するものであるから、オフガスの排出流量を調整する構成の簡素化及び低廉化を図ることができる。
【００１９】
要するに、本発明の圧力変動吸着式ガス製造装置の更なる特徴構成によれば、オフガスの排出流量を調整する構成の簡素化及び低廉化を図ることができる。
【００２０】
本発明の圧力変動吸着式ガス製造装置の更なる特徴構成は、前記運転制御部が、前記原料ガスの前記精製対象ガスの濃度及び前記吸着塔から排出される前記精製対象ガスの濃度の少なくとも一方に基づいて、前記吸着工程を行う吸着時間を変更調整し、かつ、前記吸着時間を変更した場合には、前記オフガスタンクの排出流量を、前記吸着時間を変更する前に前記吸着塔から排出されたオフガス量と前記吸着時間を変更した後において前記吸着塔が脱着工程を開始してから別の吸着塔が前記脱着工程を開始するまでの間に前記オフガスタンクから排出されるオフガス量とを等しくする流量に補正すべく、前記オフガス調整部を調整する点にある。
【００２１】
すなわち、運転制御部が、原料ガスの精製対象ガスの濃度及び吸着塔から排出される精製対象ガスの濃度の少なくとも一方に基づいて、吸着工程を行う吸着時間を変更するものであるから、原料ガスの精製対象ガスの濃度が変化すること等があっても、精製対象ガス排出路を通して排出される精製対象ガスの濃度を適正濃度に維持することができる。
【００２２】
つまり、例えば、原料ガスの精製対象ガスの濃度が低いほど、吸着時間を短くするように変更し、同様に、吸着塔から排出される精製対象ガスの濃度が低いほど、吸着時間を短くするように変更することにより、吸着塔から排出される精製対象ガスの濃度を適正に維持することができる。
【００２３】
ちなみに、原料ガスの精製対象ガスの濃度と吸着塔から排出される精製対象ガスの濃度とに基づいて、原料ガスの精製対象ガスの濃度が低いほど、吸着時間を短くするように変更する形態で吸着時間をフィードフォワード的に設定し、且つ、吸着塔から排出される精製対象ガスの濃度が低いほど、吸着時間を短くするように変更する形態で、フィードバック的に吸着時間を補正してもよい。
【００２４】
そして、運転制御部が、吸着時間を変更した場合には、オフガスタンクの排出流量を、吸着時間を変更する前に吸着塔から排出されたオフガス量と吸着時間を変更した後において吸着塔が脱着工程を開始してから別の吸着塔が脱着工程を開始するまでの間にオフガスタンクから排出されるオフガス量とを等しくする流量に補正すべく、オフガス調整部を調整することになる。
【００２５】
したがって、吸着時間を変更した場合にも、オフガスタンクの内部圧が過大や過少になることを抑制して、吸着工程に悪影響を与えることや昇圧部に悪影響を与えることを回避できる。
【００２６】
説明を加えると、吸着時間を変更調整すると、複数の吸着塔の一つの塔から排出されたオフガスをオフガスタンクから排出できる時間が、直ちに変化することになる。
これに対して、吸着時間を変更調整した直後においては、吸着時間を変更調整する前に吸着工程を行った吸着塔からオフガスが排出されることになるから、吸着塔から排出されるオフガス量は、吸着時間を変更調整した直後から変化することがない。
【００２７】
その結果、吸着工程を行う吸着時間を減少側に変更調整したときに、オフガスの排出流量が不足し、吸着工程を行う吸着時間を増加側に変更調整したときに、オフガス排出流量が過剰となり、オフガスタンクの内部圧が大きく増加又は減少することになる。
【００２８】
本特徴構成によれば、吸着時間を変更した場合には、オフガスタンクの排出流量を、吸着時間を変更する前に吸着塔から排出されたオフガス量と吸着時間を変更した後において吸着塔が脱着工程を開始してから別の吸着塔が脱着工程を開始するまでの間にオフガスタンクから排出されるオフガス量とを等しくする流量に補正することにより、オフガスタンクの内部圧が大きく増加又は減少することを抑制できる。
【００２９】
要するに、本発明の圧力変動吸着式ガス製造装置の更なる特徴構成によれば、吸着時間の変更調整により、吸着塔から排出される精製対象ガスの濃度を適正な濃度に維持できるのであり、しかも、吸着時間を変更した場合において、吸着工程に悪影響を与えることや昇圧部に悪影響を与えることを回避できる。
【００３０】
本発明の圧力変動吸着式ガス製造装置の更なる特徴構成は、前記原料ガス供給路を通して前記吸着塔に供給する原料ガス供給量を調整する原料ガス調整部が設けられ、
前記運転制御部が、前記オフガスタンクの排出流量を増加側に補正した場合には前記原料ガス供給量を減少側に補正し、前記排出流量を減少側に補正した場合には前記原料ガス供給量を増加側に補正すべく、前記原料ガス調整部を調整する点にある。
【００３１】
すなわち、運転制御部が、オフガスの排出流量を増加側に補正した場合には、原料ガス供給量を減少側に補正することになるから、オフガスの排出流量を増加側に補正しても、吸着塔から排出される精製対象ガスの濃度を適正な濃度に維持でき、また、オフガスの排出流量を減少側に補正した場合には、原料ガス供給量を増加側に補正するから、精製対象ガスの製造効率の低下を抑制できることになる。
【００３２】
説明を加えると、オフガスの排出流量を増加すると、リサイクルガス量が増加して、吸着塔に供給されるガス量が急激に増加するため、吸着塔に吸着されない雑ガス量が増加する傾向になって、吸着塔から排出される精製対象ガスの濃度が低下することになるが、オフガスの排出流量を増加側に補正した場合には、原料ガス供給量を減少側に補正することにより、吸着塔に供給されるガス量の急激な増加を回避して、吸着塔から排出される精製対象ガスの濃度を適正な濃度に維持できるようにする。
そして、オフガスの排出流量を減少側に補正した場合には、原料ガス供給量を増加側に補正することにより、精製対象ガスの精製量の低下を抑制する。
【００３３】
ちなみに、吸着塔から排出される精製対象ガスの濃度に基づいて、吸着工程を行う吸着時間を変更する場合には、吸着塔から排出される精製対象ガスの濃度が適正な濃度よりも低下すると、それに伴って、再度吸着時間が減少補正されることにより、オフガスの排出流量を増加することが繰り返される異常状態を招く虞があるが、オフガスの排出流量を増加側に補正した場合には、原料ガス供給量を減少側に補正することにより、異常状態を招くことを抑制できる。
【００３４】
要するに、本発明の圧力変動吸着式ガス製造装置の更なる特徴構成によれば、オフガスの排出流量を増加側に補正した場合にも、吸着塔から排出される精製対象ガスの濃度を適正な濃度に維持できる。
【００３５】
本発明の圧力変動吸着式ガス製造装置の更なる特徴構成は、前記原料ガスが、前記精製対象ガスとしてのメタンを４０％以上含有するメタン含有ガスであり、前記精製対象ガス排出路を通して排出される前記精製対象ガスが、メタンを８０％以上含有する製品ガスである点にある。
【００３６】
すなわち、吸着塔と膜分離部とを備えることによって、精製対象ガスとしてのメタンを４０％以上含有するメタン含有ガスを、効率良く、メタンを８０％以上含有する製品ガスに精製することができる。
【００３７】
ちなみに、メタン含有ガスとして、バイオガスを挙げることができ、バイオガスは、メタン４０〜６０％、二酸化炭素６０〜４０％程度であるが、このようなバイオガスについても、効率良く、メタンを８０％以上含有する製品ガスに精製することができる。
【００３８】
要するに、本発明の更なる特徴構成によれば、精製対象ガスとしてのメタンを４０％以上含有するメタン含有ガスを、効率良く、メタンを８０％以上含有する製品ガスに精製することができる。
【図面の簡単な説明】
【００３９】
【図１】圧力変動吸着式ガス製造装置を示す概略図
【図２】制御構成を示すブロック図
【図３】運転サイクルを示す表
【図４】原料ガス中メタン濃度と工程補正値との関係を示す表
【図５】吸着時間補正値の挙動を示す表
【図６】オフガスタンク圧の変化を示す図
【図７】オフガス流量が過少のときのオフガスタンク圧の変化を示す図
【図８】オフガス流量が過大ときのオフガスタンク圧の変化を示す図
【図９】オフガスタンク圧とリサイクルガス流量との関係を示す図
【図１０】差圧と補正流量との関係を示す図
【図１１】吸着時間とリサイクルガス流量とオフガスタンク圧との関係を示す図
【図１２】吸着時間とリサイクルガス流量とオフガスタンク圧との関係を示す図
【図１３】第２実施形態の製品ガス中メタン濃度と工程補正値との関係を示す表
【図１４】第２実施形態の吸着時間補正値の挙動を示す表
【図１５】第３実施形態の原料ガス中メタン濃度と工程補正値との関係を示す表
【図１６】第３実施形態の製品ガス中メタン濃度と工程補正値との関係を示す表
【図１７】第３実施形態の吸着時間補正値の挙動を示す表
【発明を実施するための形態】
【００４０】
〔第１実施形態〕
以下、本発明の実施形態を図面に基づいて説明する。
（圧力変動吸着式ガス製造装置の全体構成）
本実施形態においては、原料ガスＧが、精製対象ガスとしてメタンを４０％以上含み、雑ガスとして二酸化炭素等を含むバイオガスであり、雑ガスが、吸着塔１の吸着材に吸着され、メタンを８０％以上含有するメタンガスが製品ガスＨとして吸着塔１から排出されるように構成されている。
【００４１】
つまり、原料ガスＧとしてのバイオガスは、主成分がメタンと二酸化炭素であり、メタン含有率が６０％程度のものである。そして、本実施形態の圧力変動吸着式ガス製造装置は、メタンを８０％以上含有する製品ガスＨを得るためのガス精製を行うように構成されている。
【００４２】
ちなみに、吸着塔１に充填する吸着材としては、活性炭、モレキュラーシーブカーボン、ゼオライト、多孔性の金属錯体から選ばれる少なくとも一種の材料を主成分とするものが使用できる。本実施形態においては、例えば、ＭＰ法で測定した細孔径０．３８ｎｍ以上において、その細孔径における細孔容積が０．０１ｃｍ3／ｇを超えず、細孔径０．３４ｎｍにおける細孔容積が０．２０ｃｍ3／ｇ以上であるモレキュラーシーブカーボンを用いる。
【００４３】
図１に示すように、４つの吸着塔１として、Ａ塔、Ｂ塔、Ｃ塔、Ｄ塔が設けられ、４つの吸着塔１の下端側には、原料昇圧部としての圧縮機２にて昇圧された原料ガスＧを供給する原料ガス供給路３、及び、オフガスを排出するオフガス排出路４が接続されている。
圧縮機２には、供給圧を設定値（例えば、７５０ｋＰａＧ）に維持するための背圧弁２Ａが設けられている。
【００４４】
原料ガス供給路３における圧縮機２の上流側には、原料ガス供給量を目標供給量に調整する原料ガス調整部ＭＧが設けられている。
原料ガス調整部ＭＧは、マスフローコントローラを用いて構成されるものであって、原料ガス供給路３を流れる原料ガスＧの流量を検出し、検出した流量が後述する運転制御部Ｆ（図２参照）から指令される目標流量になるように、原料ガスＧの流量を制御するように構成されている。尚、マスフローコントローラの詳細は周知であるので、本実施形態では詳細な説明を省略する。
【００４５】
そして、４つの吸着塔１の夫々に対応して、原料ガス供給路３を開閉する原料ガス供給弁Ａ１、Ｂ１、Ｃ１、Ｄ１、及び、オフガス排出路４を開閉するオフガス排出弁Ａ５、Ｂ５、Ｃ５、Ｄ５が設けられている。
原料ガス供給路３における圧縮機２の下流側には、原料ガスＧの精製対象ガスの濃度であるメタンガス濃度（原料ガス中メタン濃度）を検出する原料側濃度センサＳＧが設けられている。
【００４６】
４つの吸着塔１の上端側には、製品ガスＨを送出する精製対象ガス排出路としての製品ガス送出路５が設けられ、この製品ガス送出路５を通して製品ガスタンク６に、製品ガスＨが貯留されるように構成されている。また、４つの吸着塔１の上部には、４つの吸着塔１を互いに連通接続するための塔連通路７が接続されている。
そして、４つの吸着塔１の夫々に対応して、製品ガス送出路５を開閉する製品ガス送出弁Ａ２、Ｂ２、Ｃ２、Ｄ２、及び、塔連通路７を開閉する連通断続弁Ａ４、Ｂ４、Ｃ４、Ｄ４が設けられている。
ちなみに、製品ガス送出路５には、製品ガスＨの精製対象ガスの濃度であるメタンガス濃度（製品ガス中メタン濃度）を検出する製品側濃度センサＳＨが設けられている。
【００４７】
オフガス排出路４には、オフガスを貯留するオフガスタンクＴが接続され、オフガスタンクＴには、貯留されたオフガスを送り出すオフガス送出路８が接続され、オフガス送出路８には、分離膜９Ａを備えた膜分離部９、及び、オフガスを昇圧して膜分離部９に供給する昇圧部としての昇圧ポンプ１０が設けられている。
昇圧ポンプ１０には、供給圧を設定目標値（例えば、７８０ｋＰａＧ）に維持するためのポンプ背圧弁１０Ａが設けられている。
【００４８】
膜分離部９の分離膜９Ａとしては、二酸化炭素を主成分とする雑ガスを、精製対象ガスとしてのメタンに較べて速く透過する材料が用いられる。つまり、雑ガスがメタンに較べて速く透過する材料を用いることで、精製対象ガスとしてのメタンがほとんど透過しないか、または実質的に透過せず、オフガスタンクＴに貯留されたオフガスのうちの二酸化炭素を主成分とする雑ガスが、膜透過ガスＪとして分離されることになる。
【００４９】
このような分離膜９Ａとしては、酢酸セルロース、ポリアミド、ポリイミド、ポリスルホン、ポリテトラフルオロエチレン、ポリエーテルスルホン、カーボン膜、微多孔質ガラス複合膜、ＤＤＲ型ゼオライト、多分岐ポリイミドシリカ、ポリジメチルシロキサンから選ばれる少なくとも一種の材料を主成分とするものが用いられる。
【００５０】
膜分離部９の分離膜９Ａを透過しなかったオフガス（メタンを主成分とする）を、リサイクルガスとして原料ガス供給路３に供給するリサイクルガス返送路１１が設けられている。
また、オフガスタンクＴから排出されるオフガスの排出流量を調整するオフガス調整部ＭＲが、リサイクルガスの流量を目標流量に制御する形態で、リサイクルガス返送路１１設けられている。
【００５１】
オフガス調整部ＭＲは、原料ガス調整部ＭＧと同様に、マスフローコントローラを用いて構成されるものであって、リサイクルガス返送路１１を流れるリサイクルガスの流量を検出し、検出した流量が後述する運転制御部Ｆ（図２参照）から指令される目標流量になるように、リサイクルガスの流量を制御するように構成されている。
つまり、運転制御部Ｆは、オフガスタンクＴの内部圧（以下オフガスタンク圧と呼称）を検出する圧力センサ１４の検出情報に基づいて、目標流量を指令するように構成されており、その詳細は後述する。
【００５２】
ちなみに、オフガスタンクＴから排出されるオフガスの排出流量を、リサイクルガスの流量を調整することによって調整できる点について説明を加えると、膜分離部９においては、オフガスの排出流量が増加するほど膜透過ガス量が正比例関係で増加するものであるため、オフガスの排出流量とリサイクルガスの流量とが正比例関係であることによる。
【００５３】
（圧力変動吸着式ガス製造装置の運転制御）
図２に示すように、圧力変動吸着式ガス製造装置の運転を制御する運転制御部Ｆが設けられ、運転制御部Ｆが原料ガス供給弁Ａ１〜Ｄ１、製品ガス送出弁Ａ２〜Ｄ２、連通断続弁Ａ４〜Ｄ４、及び、オフガス排出弁Ａ５〜Ｄ５を制御することにより、４つの吸着塔１の夫々が、図３の表に示す運転サイクルを行うように構成されている。
【００５４】
すなわち、４つの吸着塔１の夫々は、運転サイクルを１６ステップに分割した形態で定められる運転工程を、位相を異ならせた状態で順次実行するように構成されている。
４つの吸着塔１のうち、Ａ塔を代表して、運転サイクルについて説明する。
【００５５】
ステップ１〜３においては、Ａ塔に対応する原料ガス供給弁Ａ１及び製品ガス送出弁Ａ２を開いて、吸着工程に相当する原料昇圧、吸着を行う。つまり、Ａ塔の内部圧を昇圧しながら、雑ガスを吸着材に吸着し、製品ガスＨを、製品ガス送出路５を通して排出することになる。ちなみに、この吸着工程においては、連通断続弁Ａ４及びオフガス排出弁Ａ５を閉じる。
【００５６】
ステップ４においては、Ａ塔及びＢ塔の連通断続弁Ａ４及びＢ４を開いて、Ａ塔の内部ガスをＢ塔に供給する降圧用初段均圧工程に相当する吸着均圧ＡＢを行う。ちなみに、この降圧用初段均圧工程においては、原料ガス供給弁Ａ１、製品ガス送出弁Ａ２及びオフガス排出弁Ａ５を閉じる。
尚、吸着均圧ＡＢにおける「ＡＢ」の意味は、先に記載の高圧側のＡ塔の内部ガスを後に記載の低圧側のＢ塔に供給することを意味するものであり、以下同様である。
ステップ５においては、Ａ塔に関連する全ての弁を閉じて待機する。
【００５７】
ステップ６においては、Ａ塔及びＣ塔の連通断続弁Ａ４及びＣ４を開いて、Ａ塔の内部ガスをＣ塔に供給する降圧用中段均圧工程に相当する均圧ＡＣを行う。ちなみに、この降圧用中段均圧工程においては、原料ガス供給弁Ａ１、製品ガス送出弁Ａ２及びオフガス排出弁Ａ５を閉じる。
【００５８】
ステップ７においては、Ａ塔及びＤ塔の連通断続弁Ａ４及びＤ４を開いて、Ａ塔の内部ガスをＤ塔に供給する降圧用終段均圧工程に相当する均圧ＡＤを行う。ちなみに、この降圧用終段均圧工程においては、原料ガス供給弁Ａ１、製品ガス送出弁Ａ２及びオフガス排出弁Ａ５を閉じる。
【００５９】
ステップ８〜１０においては、Ａ塔のオフガス排出弁Ａ５を開いて、脱着工程に対応する減圧を行う。ちなみに、この脱着工程においては、原料ガス供給弁Ａ１、製品ガス送出弁Ａ２及び連通断続弁Ａ４を閉じる。
【００６０】
ステップ１１においては、Ａ塔及びＢ塔の連通断続弁Ａ４及びＢ４を開いて、Ｂ塔の内部ガスをＡ塔に供給する昇圧用初段均圧工程に相当する均圧ＢＡを行う。ちなみに、この昇圧用初段均圧工程においては、原料ガス供給弁Ａ１、製品ガス送出弁Ａ２及びオフガス排出弁Ａ５を閉じる。
ステップ１２及び１３においては、Ａ塔に関連する全ての弁を閉じて待機する。
【００６１】
ステップ１４においては、Ａ塔及びＣ塔の連通断続弁Ａ４及びＣ４を開いて、Ｃ塔の内部ガスをＡ塔に供給する昇圧用中段均圧工程に相当する均圧ＣＡを行う。この昇圧用中段均圧工程においては、原料ガス供給弁Ａ１、製品ガス送出弁Ａ２及びオフガス排出弁Ａ５を閉じる。
【００６２】
ステップ１５においては、Ａ塔に関連する全ての弁を閉じて待機する。
ステップ１６においては、Ａ塔及びＤ塔の連通断続弁Ａ４及びＤ４を開いて、Ｄ塔の内部ガスをＡ塔に供給する昇圧用終段均圧工程に相当する吸着均圧ＤＡを行う。ちなみに、この昇圧用終段均圧工程においては、原料ガス供給弁Ａ１、製品ガス送出弁Ａ２及びオフガス排出弁Ａ５を閉じる。
【００６３】
つまり、運転制御部Ｆが、４つの吸着塔１の夫々について、位相を異ならせる状態で、吸着工程、降圧用初段均圧工程、降圧用中段均圧工程、降圧用終段均圧工程、脱着工程、昇圧用初段均圧工程、昇圧用中段均圧工程、及び、昇圧用終段均圧工程からなる運転サイクルを順次実行させるように構成されている。
換言すれば、運転制御部Ｆが、４つの吸着塔１の夫々について、位相を異ならせる状態で、吸着工程、降圧用均圧工程、脱着工程、昇圧用均圧工程からなる運転サイクルを順次実行するように構成されている。
【００６４】
そして、図３の下段に示すように、ステップ１〜１６の夫々について、各ステップを実行するステップ時間（秒）として、Ｘ、ｔ１、ｔ２、ｔ３が定められており、定められたステップ時間に応じて各工程を実行するように構成されている。
ちなみに、ステップ１、ステップ５、ステップ９、及び、ステップ１３のステップ時間は、吸着工程を実行する吸着時間を変更調整するための吸着時間補正値Ｘに相当する時間であり、後述の如く、吸着時間補正値Ｘを補正することにより、吸着工程を実行する吸着時間が変更調整されるように構成されている。
【００６５】
原料ガス供給路３における圧縮機２の上流側箇所には、上述の如く、原料ガス供給量を調整する原料ガス調整部ＭＧが設けられ、この原料ガス調整部ＭＧが、原料ガス供給路３を流れる原料ガスの流量を検出し、検出した流量が運転制御部Ｆにて設定された目標流量になるように、原料ガス供給量を制御するように構成されている。
【００６６】
つまり、操作指令部１６から運転制御部Ｆに対して原料ガスＧの目標供給量が指示され、運転制御部Ｆが、指示された目標供給量に基づいて、原料ガス調整部ＭＧに対して目標流量を指示するように構成されている。
尚、原料ガスの目標供給量は、原料ガスＧのメタン濃度等、原料ガスＧの種類に応じて実験的に求められている。
【００６７】
ちなみに、圧力変動吸着式ガス製造装置の立ち上げ運転時には、運転者が操作指令部１６から運転制御部Ｆに対して、リサイクルガス返送路１１を流れるリサイクルガスの目標流量を指令して、運転制御部Ｆが指令された目標流量をオフガス調整部ＭＲに指令することになり、その後、操作指令部１６から自動運転指令が指令されると、運転制御部Ｆが目標流量をオフガス調整部ＭＲに指令することになるが、その詳細は、後述する。
【００６８】
（吸着時間の調整制御）
運転制御部Ｆが、原料側濃度センサＳＧの検出情報に基づいて、吸着工程を行う吸着時間を変更調整するように構成されている。
本実施形態においては、ステップ１の時間、ステップ５の時間、ステップ９の時間、及び、ステップ１３の時間に対応する吸着時間補正値Ｘを、一挙に増減調整するように構成されている。
【００６９】
ちなみに、ステップ１の時間は、Ａ塔の吸着時間に対応し、ステップ５の時間は、Ｂ塔の吸着時間に対応し、ステップ９の時間は、Ｃ塔の吸着時間に対応し、ステップ１３の時間は、Ｄ塔の吸着時間に対応する時間である。
【００７０】
例えば、Ａ塔の吸着時間は、ステップ１の吸着時間補正値Ｘ、ステップ２のステップ時間、ステップ３のステップ時間を加えた時間であり、ステップ１の吸着時間補正値Ｘを補正することにより、Ａ塔の吸着時間が変更調整されるのであり、Ｂ塔の吸着時間、Ｃ塔の吸着時間、Ｄ塔の吸着時間についても同様である。
【００７１】
本実施形態においては、原料側濃度センサＳＧにて検出される原料ガス中メタンガス濃度と工程補正値との関係が、図４の表に示すように予め定められている。
そして、圧力変動吸着式ガス製造装置の運転開始時には、吸着時間補正値Ｘを予め設定した初期値（例えば、１００秒）として運転を開始し、その後、吸着塔１の夫々にて吸着工程を行うごとに、そのサイクル中の原料ガス中メタン濃度の平均値である平均原料ガス中メタン濃度が求められる。尚、平均原料ガス中メタン濃度は、設定時間（例えば、５００ｍｓ）ごとに原料側濃度センサＳＧの検出情報をサンプリングし、サンプリングした検出値の平均値を求めることになる。
【００７２】
次に、図５に示すように、平均原料ガス中メタン濃度と図４の関係とに基づいて、工程補正値を求め、求めた工程補正値を現在の吸着時間補正値Ｘに加えた値を、次の吸着工程における新たな吸着時間補正値Ｘとするように構成されている。
【００７３】
例えば、吸着時間補正値Ｘを１００（秒）とする状態で経過吸着工程数ｙの吸着工程を実行したときに、サイクル中の平均原料ガス中メタン濃度が５７（％）であれば、次の経過吸着工程数ｙ＋１の吸着工程では、「１００（秒）」と工程補正値「−６（秒）」と加えた「９４（秒）」を吸着時間補正値Ｘとすることになり、続く、経過吸着工程数ｙ＋２〜ｙ＋６の吸着工程についても同様である。
【００７４】
（リサイクルガス流量の制御）
運転制御部Ｆが、リサイクルガスの流量を、脱着工程を行うごとに吸着塔１から排出されるオフガス量と吸着塔１が脱着工程を開始してから別の吸着塔１が脱着工程を開始するまでにオフガスタンクＴから排出されるオフガス量とを等しくする流量にするように、オフガス調整部ＭＲを調整するように構成されている。
【００７５】
ちなみに、オフガスタンクＴから排出されるオフガスの排出流量を、リサイクルガスの流量を調整することによって調整できるのは、上述の如く、膜分離部９においては、オフガスの排出流量が増加するほど膜透過ガス量が正比例関係で増加するものであるため、オフガスの排出流量とリサイクルガスの流量とが正比例関係であることによる。
【００７６】
つまり、一つの吸着塔１が脱着工程を行うことによって排出されるオフガスは、オフガスタンクＴに貯留されることになるが、その貯留されたオフガスを、一つの吸着塔１の脱着工程が開始されてから別の吸着塔１が次に脱着工程を開始するまで間にオフガスタンクＴから排出する必要がある。
【００７７】
本実施形態においては、脱着工程を行うごとに吸着塔１から排出されるオフガス量と、当該吸着塔１が脱着工程を開始してから別の吸着塔１が脱着工程を開始するまでの間に、膜分離部９にて分離される膜透過ガス量と、当該吸着塔１が脱着工程を開始してから別の吸着塔１が脱着工程を開始するまでの間に、リサイクルガス返送路１１を通して原料ガス供給路３に返送するリサイクルガス量との関係を、下記（１）式の関係に維持すべく、運転制御部Ｆが、オフガス調整部ＭＲを調整するように構成されている。
リサイクルガス量＝オフガス量‐膜透過ガス量--------（１）
【００７８】
説明を加えると、図６〜８に示すように、オフガスタンクＴの内部圧であるオフガスタンク圧は、４つの吸着塔１の夫々が脱着工程を行うことにより増加することになるものの、オフガス送出路８を通してオフガスが排出されることにより、減少することになる。
そして、上記（１）式の関係が維持されていると、オフガスタンク圧は、図６に示すように、適正な最低圧（極小値）と適正な最高圧とを維持しながら、増加と減少を繰り返すことになる。
【００７９】
これに対して、リサイクルガス量が、「オフガス量‐膜透過ガス量」よりも少ないと、図７に示すように、オフガスタンク圧が漸次大きくなり、減圧工程を適正に行えない状態になる。
また、リサイクルガス量が、「オフガス量‐膜透過ガス量」よりも多いと、図８に示すように、オフガスタンク圧が漸次小さくなり、オフガスタンクＴのオフガスタンク圧が過少（負圧）となって、昇圧ポンプ１０を損傷する等の不都合を生じる虞がある。
【００８０】
本実施形態においては、運転制御部Ｆが、オフガスタンク圧を検出する圧力センサ１４の圧力検出情報に基づいて、オフガスタンク圧の最低圧（極小値）を目標圧力（例えば、２ｋＰａＧ）にするための目標流量を求め、求めた目標流量をオフガス調整部ＭＲに指令することにより、上記（１）式の関係を維持するように構成されている。
【００８１】
具体的には、運転制御部Ｆが、図９に示すように、オフガスタンクＴのオフガスタンク圧の最低圧（極小値）が繰り返し生じるごとに、その最低圧（極小値）と目標圧力（例えば、２ｋＰａＧ）との差圧Ｐｔを求める。そして、求めた差圧Ｐｔに基づいて、オフガス調整部ＭＲに指令する目標流量の補正流量を求め、現在指令している目標流量を補正流量にて補正した流量を新たな目標流量として、オフガス調整部ＭＲに指令するように構成されている。
【００８２】
補正流量は、図１０に示すように、例えば、差圧Ｐｔが１ｋＰａＧのときには、１ＮＬ／ｍｉｎの値に求めるようにする状態で、差圧Ｐｔが大きくなるほど大きな流量として求められることになる。
その結果、図９に示すように、リサイクルガスの目標流量の補正により、オフガスタンク圧の最低圧（極小値）が目標圧力（例えば、２ｋＰａＧ）に近づくように構成されている。
【００８３】
尚、図１０においては、差圧Ｐｔと補正流量との関係を一次式として設定する場合を例示したが、差圧Ｐｔと補正流量との関係を二次式として設定する等、差圧Ｐｔと補正流量との関係は種々変更できる。
【００８４】
ちなみに、本実施形態においては、上述の如く、圧力変動吸着式ガス製造装置の立ち上げ運転時には、運転者が操作指令部１６から運転制御部Ｆに対して、リサイクルガス返送路１１を流れるリサイクルガスの目標流量を指令することになる。具体的には、圧力センサ１４にて検出されるオフガスタンク圧を監視しながら、オフガスタンク圧の最低圧（極小値）が目標圧力（例えば、２ｋＰａＧ）になる目標流量を指令することになる。
【００８５】
そして、オフガスタンク圧の最低圧（極小値）が目標圧力（例えば、２ｋＰａＧ）になったときに、操作指令部１６から自動運転指令が指令されると、運転制御部Ｆが、上述の如く、差圧Ｐｔに基づいて補正流量を求めながら目標流量を設定し、設定した目標流量をオフガス調整部ＭＲに指令することになる。
尚、圧力変動吸着式ガス製造装置の立ち上げ運転時においても、運転制御部Ｆが、上述の如く、差圧Ｐｔに基づいて補正流量を求めながら目標流量を設定し、設定した目標流量をオフガス調整部ＭＲに指令する形態で実施してもよい。
【００８６】
（リサイクルガス流量の補正制御）
運転制御部Ｆは、上述の如く、吸着工程を行う吸着時間を変更調整した場合には、その変更調整に合わせて、オフガス調整部ＭＲに指令する目標流量を変更して、リサイクルガス流量をフィードフォワード的に変更するように構成されている。
【００８７】
つまり、運転制御部Ｆが、吸着時間を変更した場合には、リサイクルガスの流量を、吸着時間を変更する前に吸着塔１から排出されたオフガス量と吸着時間を変更した後において吸着塔１が脱着工程を開始してから別の吸着塔１が脱着工程を開始するまでの間にオフガスタンクＴから排出されるオフガス量とを等しくする流量に補正すべく、オフガス調整部ＭＲを調整するように構成されている。
【００８８】
すなわち、吸着時間を変更調整すると、４つの吸着塔１の一つの塔から排出されたオフガスの一部をリサイクルガスとして原料ガス供給路３に戻すことができる時間が、直ちに変化することになる。
これに対して、吸着時間を変更調整した直後においては、吸着時間を変更調整する前に吸着工程を行った吸着塔１からオフガスが排出されるため、吸着塔１から排出されるオフガス量は、吸着時間を変更調整した直後から変化することがない。
【００８９】
その結果、吸着工程を行う吸着時間を減少側に変更調整したときに、リサイクルガス流量が不足し、吸着工程を行う吸着時間を増加側に変更調整したときに、リサイクルガス流量が過剰となり、オフガスタンクＴのオフガスタンク圧が大きく増加又は減少することになる。
例えば、図１１に示すように、吸着時間を減少側に変更すると、リサイクルガス流量が不足するために、オフガスタンク圧が漸次増加することになる。
【００９０】
本実施形態においては、吸着時間を変更調整した場合には、その変更調整に合わせて、リサイクルガス流量をフィードフォワード的に変更することにより、リサイクルガス流量を適正流量に維持するように構成されている。
【００９１】
具体的には、運転制御部Ｆは、基準時間とリサイクルガス流量との積が一定となる関係を維持するように、吸着時間を変更調整した場合には、その変更調整に合わせて、オフガス調整部ＭＲに指令する目標流量を変更するように構成されている。
基準時間は、吸着塔１の夫々からオフガスが排出される周期、換言すれば、１つの吸着塔１からのオフガスの排出が開始されてから次の吸着塔１がオフガスの排出を開始するまでの間に対応する時間である。
【００９２】
すなわち、Ｄ塔からのオフガスの排出が開始されてからＡ塔のオフガスの排出が開始されるまでのステップ４〜７に相当する時間、Ａ塔からのオフガスの排出が開始されてからＢ塔のオフガスの排出が開始されるまでのステップ８〜１１に相当する時間、Ｂ塔からのオフガスの排出が開始されてからＣ塔のオフガスの排出が開始されるまでのステップ１２〜１５に相当する時間、Ｃ塔からのオフガスの排出が開始されてからＤ塔のオフガスの排出が開始されるまでのＡ塔においてはステップ１６〜３に相当する時間であり、これらの時間の夫々には、吸着時間補正値Ｘが含まれている。
【００９３】
したがって、吸着時間が変更調整された場合には、吸着時間が変更調整される前の基準時間とリサイクルガス流量との積を、吸着時間が変更調整された後の基準時間にて除算することにより、新たに目標とするリサイクルガス流量を求めて、求めたリサイクルガス流量を目標流量として、オフガス調整部ＭＲに指令するように構成されている。
【００９４】
例えば、図１２に示すように、吸着時間を減少側に変更すると、リサイクルガス流量が増加されることになり、オフガスタンク圧の増加が抑制されることになる。
また、図示は省略するが、吸着時間を増加側に変更すると、リサイクルガス流量が減少されることになり、オフガスタンク圧の減少が抑制されることになる。
【００９５】
（原料ガスの供給補正制御）
運転制御部Ｆが、上述の「リサイクルガス流量の補正制御」により、リサイクルガス流量を増加又は減少させた場合には、リサイクルガス流量の増加分又は減少分に応じた量を減少又は増加させた原料ガスの供給量の目標量を、原料ガス調整部ＭＧに指令することにより、吸着塔１に供給される原料ガスの供給量を補正するように構成されている。
【００９６】
すなわち、リサイクルガス流量を増加すると、吸着塔１に供給されるガス量が急激に増加するため、吸着塔１に対して供給される雑ガス量が増加して、製品ガスＨのメタン濃度が低下する虞がある。
【００９７】
本実施形態においては、「吸着時間の調整制御」により吸着時間を減少側に変更することに伴って、「リサイクルガス流量の補正制御」により、リサイクルガス流量を増加させた場合には、原料ガスＧの供給量を、リサイクルガス流量の増加分に応じた量を減少させることにより、製品ガスＨのメタン濃度が低下することを抑制できるようにしてある。
【００９８】
〔第２実施形態〕
次に、圧力変動吸着式ガス製造装置の第２実施形態を説明するが、この第２実施形態は、上記第１実施形態における「吸着時間の調整制御」の別実施形態を示すものであって、基本的な構成は上記第１実施形態と同様であるから、以下の説明においては、上記第１実施形態と異なる点を詳述する。
【００９９】
上記第１実施形態においては、運転制御部Ｆが、原料側濃度センサＳＧの検出情報に基づいて、吸着工程を行う吸着時間を変更調整する場合を例示したが、本第２実施形態においては、製品側濃度センサＳＨの検出情報に基づいて、吸着時間を変更調整するように構成されている。
【０１００】
すなわち、図１３の表に示すように、製品側濃度センサＳＨにて検出される製品ガス中メタンガス濃度と工程補正値との関係が予め定められている。
そして、圧力変動吸着式ガス製造装置の運転開始時には、吸着時間補正値Ｘを予め設定した初期値（例えば、１００秒）として運転を開始し、その後、吸着塔１の夫々にて吸着工程を行うサイクルごとに、そのサイクル中の製品ガス中メタン濃度の平均値である平均原料ガス中メタン濃度を求める。尚、平均製品ガス中メタン濃度は、設定時間（例えば、５００ｍｓ）ごとに製品側濃度センサＳＨの検出情報をサンプリングし、サンプリングした検出値の平均値を求めることになる。
【０１０１】
次に、図１４に示すように、最初のサイクルの吸着工程を終了したときには、平均製品ガス中メタン濃度と図１３の関係とに基づいて、工程補正値を求め、求めた工程補正値を現在の吸着時間補正値Ｘに加えた値を、次の吸着工程における新たな吸着時間補正値Ｘとするように構成されている。
その後、２回目以降のサイクルの吸着工程を終了したときには、平均製品ガス中メタン濃度と図１３の関係とに基づいて、工程補正値を求め、求めた工程補正値と以前のサイクルの吸着工程を終了したときに求めた工程補正値の全てを加えた積算値を求め、その積算値を初期値（例えば、１００秒）に加えた値を、次の吸着工程における新たな吸着時間補正値Ｘとするように構成されている。
【０１０２】
例えば、吸着時間補正値Ｘを１００（秒）とする状態で最初の経過吸着工程数ｙの吸着工程を実行したときに、平均製品ガス中メタン濃度が８２（％）であれば、次の経過吸着工程数ｙ＋１の吸着工程では、初期値の「１００（秒）」と工程補正値「−３（秒）」と加えた「９７（秒）」を吸着時間補正値Ｘとすることになる。
【０１０３】
次に、２回目の吸着工程を終了したときに、平均製品ガス中メタン濃度が８４（％）であれば、次の経過吸着工程数ｙ＋２の吸着工程では、初期値の「１００（秒）」と最初のサイクルの工程補正値「−３（秒）」と２回目のサイクルの工程補正値「−１（秒）」と加えた「９６（秒）」を吸着時間補正値Ｘとすることになる。
続く、経過吸着工程数ｙ＋３〜ｙ＋６についても同様である。
【０１０４】
この第２実施形態においても「リサイクルガス流量の補正制御」を行うことにより、オフガスタンク圧の急激な変動が抑制される。
特に、製品ガス中メタンガス濃度に基づいて吸着時間を補正する場合には、吸着工程を行う吸着時間を減少側に変更調整したときに、リサイクルガス流量が不足して、オフガスタンク圧が増加すると、吸着塔１の脱着工程（減圧）における脱着条件が悪化して、雑ガスを適正通り脱着させることができない結果、再度、吸着時間を減少側に変更調整されることが繰り返されて、吸着時間が極端に減少され、かつ、リサイクルガスの流量が極端に増加するという、制御不能な異常状態を現出する虞があるが、「リサイクルガス流量の補正制御」を行うことにより、このような異常状態の現出を抑制できる。
【０１０５】
この第２実施形態においても「原料ガスの供給補正制御」を行うことにより、製品ガス中メタンガス濃度の低下を抑制することができる。
特に、製品ガス中メタンガス濃度に基づいて吸着時間を補正する場合には、リサイクルガス流量を増加して、吸着塔１に供給される雑ガス量が増加して、製品ガスＨのメタン濃度が低下すると、それに伴って、再度吸着時間を減少補正し、リサイクル流量を増加することが繰り返されて、製品ガスＨのメタン濃度が低下する状態が続く異常事態は生じる虞があるが、「原料ガスの供給補正制御」を行うことにより、このような異常事態の発生を抑制できる。
【０１０６】
〔第３実施形態〕
次に、圧力変動吸着式ガス製造装置の第３実施形態を説明するが、この第３実施形態は、上記第１実施形態における「吸着時間の調整制御」の別実施形態を示すものであって、基本的な構成は上記第１実施形態と同様であるから、以下の説明においては、上記第１実施形態と異なる点を詳述する。
【０１０７】
この第３実施形態においては、運転制御部Ｆが、原料側濃度センサＳＧの検出情報、及び、製品側濃度センサＳＨの検出情報に基づいて、吸着工程を行う吸着時間を変更調整するものである。
【０１０８】
すなわち、図１５の表に示すように、原料側濃度センサＳＧにて検出される原料ガス中メタンガス濃度と工程補正値との関係が予め定められ、また、図１６の表に示すように、製品側濃度センサＳＨにて検出される製品ガス中メタンガス濃度と工程補正値との関係が予め定められている。
そして、圧力変動吸着式ガス製造装置の運転開始時には、吸着時間補正値Ｘを予め設定した初期値（例えば、１００秒）として運転を開始する。
その後、吸着塔１の夫々にて吸着工程を行うサイクルごとに、そのサイクル中の原料ガス中メタン濃度の平均値である平均原料ガス中メタン濃度、及び、そのサイクル中の製品ガス中メタン濃度の平均値である平均原料ガス中メタン濃度を求める。
【０１０９】
尚、平均原料ガス中メタン濃度は、設定時間（例えば、５００ｍｓ）ごとに原料側濃度センサＳＧの検出情報をサンプリングし、サンプリングした検出値の平均値を求めることになり、同様に、平均製品ガス中メタン濃度は、設定時間（例えば、５００ｍｓ）ごとに製品側濃度センサＳＨの検出情報をサンプリングし、サンプリングした検出値の平均値を求めることになる。
【０１１０】
次に、平均原料ガス中メタン濃度と図１５の関係とに基づいて、原料ガスＧに関する工程補正値を求め、同様に、平均製品ガス中メタン濃度と図１６の関係とに基づいて、製品ガスに関する工程補正値を求める。
そして、図１７に示すように、現在の吸着時間補正値Ｘに対して、直前のサイクルの吸着工程に対応する原料ガスＧに関する工程補正値、及び、直前のサイクルの吸着工程に対応する製品ガスに関する工程補正値を以前のサイクルの吸着工程を終了したときに求めた製品ガスに関する工程補正値に積算値を加えた値を、次の吸着工程における新たな吸着時間補正値Ｘとするように構成されている。
【０１１１】
例えば、吸着時間補正値Ｘを１００（秒）とする状態で最初の経過吸着工程数ｙの吸着工程を実行したときに、原料ガス中メタン濃度が５７（％）で、平均製品ガス中メタン濃度が８２（％）であれば、次の経過吸着工程数ｙ＋１の吸着工程では、初期値の「１００（秒）」と、原料ガスＧに関する工程補正値「−６（秒）」と、製品ガスに関する工程補正値「−３（秒）」とを加えた「９１（秒）」を吸着時間補正値Ｘとすることになる。
【０１１２】
次に、２回目の吸着工程を終了したときに、平均原料ガス中メタン濃度が５９（％）で、平均製品ガス中メタン濃度が８４（％）であれば、原料ガスＧに関する工程補正値「−２（秒）」と製品ガスに関する工程補正値「−１（秒）」とを求め、さらに、前回の経過吸着工程数ｙの吸着工程における製品ガスに関する工程補正値「−３（秒）」と今回の経過吸着工程数ｙ＋１の吸着工程における製品ガスに関する工程補正値「−１（秒）」とを加えて、製品ガスに関する工程補正値の積算値「−４（秒）」を求める。
【０１１３】
そして、初期値の「１００（秒）」と、原料ガスＧに関する工程補正値「−２（秒）」と、製品ガスに関する工程補正値の積算値「−４（秒）」とを加えた「９４（秒）」を吸着時間補正値Ｘとすることになる。
続く、サイクルｙ＋３〜ｙ＋６についても同様である。
【０１１４】
この第３実施形態においても「リサイクルガス流量の補正制御」を行うことにより、オフガスタンク圧の急激な変動が抑制される。
特に、製品ガス中メタンガス濃度に基づいて吸着時間を補正する場合には、吸着工程を行う吸着時間を減少側に変更調整したときに、リサイクルガス流量が不足して、オフガスタンク圧が増加すると、吸着塔１の脱着工程（減圧）における脱着条件が悪化して、雑ガスを適正通り脱着させることができない結果、再度、吸着時間を減少側に変更調整されることが繰り返されて、吸着時間が極端に減少され、かつ、リサイクルガスの流量が極端に増加するという、制御不能な異常状態を現出する虞があるが、「リサイクルガス流量の補正制御」を行うことにより、このような異常状態の現出を抑制できる。
【０１１５】
この第３実施形態においても「原料ガスの供給補正制御」を行うことにより、製品ガス中メタンガス濃度の低下を抑制することができる。
特に、製品ガス中メタンガス濃度に基づいて吸着時間を補正する場合には、リサイクルガス流量を増加して、吸着塔１に供給される雑ガス量が増加して、製品ガスＨのメタン濃度が低下すると、それに伴って、再度吸着時間を減少補正し、リサイクル流量を増加することが繰り返されて、製品ガスＨのメタン濃度が低下する状態が続く異常事態は生じる虞があるが、「原料ガスの供給補正制御」を行うことにより、このような異常事態の発生を抑制できる。
【０１１６】
〔その他の別実施形態〕
次に、その他の別実施形態を列記する。
（１）上記第１〜第３実施形態においては、オフガスタンクＴから排出されるオフガスの排出流量を調整するオフガス調整部ＭＲを、膜分離部９の下流側箇所に設けるようにしたが、昇圧ポンプ１０と膜分離部９との間に相当する箇所にオフガス調整部ＭＲを設置する形態で実施してもよい。
【０１１７】
（２）上記第１〜第３別実施形態においては、「原料ガスの供給補正制御」において、リサイクルガスの増加量に合わせて、原料供給量を減少補正する場合を例示したが、リサイクルガスの雑ガス濃度を検出して、リサイクルガスのうちの雑ガスの増加分に相当する量だけ、原料供給量を減少補正するようにしてもよい。
【０１１８】
（３）上記第１〜第３実施形態においては、マスフローコントローラを用いてオフガス調整部ＭＲを構成する場合を例示したが、流量センサにてガス流量を検出しながら、昇圧部を構成する昇圧ポンプ１０の吐出量を調整する形態で、オフガス調整部ＭＲを構成するようにしてもよい。
【０１１９】
（４）上記第１〜第３実施形態においては、原料ガスＧが、精製対象ガスとしてメタンを含み、雑ガスとして二酸化炭素等を含むバイオガスである場合を例示したが、例えば、原料ガスＧとしては、都市ガス等を改質したガス、つまり、精製対象ガスとして水素を含み、雑ガスとして、二酸化炭素、一酸化炭素、及び、窒素を含むガス等、種々のガスを原料ガスＧとして適用できるものである。
【０１２０】
（５）上記第１〜第３実施形態においては、圧力変動吸着式ガス製造装置として、４つの吸着塔１を備える装置を説明したが、３つや５つ以上の吸着塔１を備えさせて、それらの吸着塔１の夫々にて、位相を異ならせる状態で、吸着工程、降圧用均圧工程、脱着工程、昇圧用均圧工程を順次実行させるようにしてもよい。
【０１２１】
（６）上記第１〜第３実施形態においては、吸着塔１の一端側としての下端側に、原料ガス供給路３及びオフガス排出路４を接続し、かつ、吸着塔１の他端側としての上端側に、精製対象ガス排出路５を接続させた形態を例示したが、吸着塔１の一端側としての上端側に、原料ガス供給路３及びオフガス排出路４を接続し、かつ、吸着塔１の他端側としての下端側に、精製対象ガス排出路５を接続させる形態で実施してもよい。
また、オフガス排出路４を吸着塔１に接続する箇所は、吸着塔１における精製対象ガス排出路５が接続される端部側や、吸着塔１における長手方向の中間部に接続させるようにしてもよく、要は、オフガス排出路５を吸着塔１に接続すればよい。
【０１２２】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１２３】
１        吸着塔
３        原料ガス供給路
４        オフガス排出路
５        精製対象ガス排出路（製品ガス送出路）
９Ａ      分離膜
９        膜分離部
１１      リサイクルガス返送路
１２      オフガス調整部
１４      圧力センサ
１５      原料ガス調整部
Ｆ        運転制御部
Ｇ        原料ガス（バイオガス）
Ｈ        製品対象ガス（製品ガス）
Ｔ        オフガスタンク
【図１】
2017177067.tif 000003
【図２】
2017177067.tif 000004
【図３】
2017177067.tif 000005
【図４】
2017177067.tif 000006
【図５】
2017177067.tif 000007
【図６】
2017177067.tif 000008
【図７】
2017177067.tif 000009
【図８】
2017177067.tif 000010
【図９】
2017177067.tif 000011
【図１０】
2017177067.tif 000012
【図１１】
2017177067.tif 000013
【図１２】
2017177067.tif 000014
【図１３】
2017177067.tif 000015
【図１４】
2017177067.tif 000016
【図１５】
2017177067.tif 000017
【図１６】
2017177067.tif 000018
【図１７】
2017177067.tif 000019